(57)【要約】【課題】本発明は、容易に封緘できるとともに、プリンターで印字する場合もセパレーターが剥がれるおそれの少ない封筒の提供を目的とする。【解決手段】前片２と、後片３と、前記前片と後片との間に形成された開口４を封緘するための封緘用接着部５を備えている。封緘用接着部５は、後面に封緘用粘着面６１を有する接着テープ６と、封緘用粘着面６１を剥離可能に被覆したセパレーター７とを備えている。接着テープ６は、その前面が前片２の内面２ａに接着されようにして前片２の内面２ａ側に配設され、セパレーター７は、後片３の内面３ａと対向するように配設されている。【選択図】図２
2014012548.tif 000002
【特許請求の範囲】
【請求項１】
前片と、前記前片と重ね合わされた後片とを備え、前記前片と後片との間に、少なくとも一方向に開口する封入空間が設けられた封筒であって、
前記開口を封緘するための封緘用接着部を備え、
前記封緘用接着部は、接着本体と、前記接着本体を剥離可能に被覆したセパレーターとを備え、
この封緘用接着部は、前記前片と後片との何れか一方の内面であって前記両片の重ね合わせ部分に配設されていることを特徴とする封筒。
【請求項２】
前記前片と後片とは、互いに同じ大きさであって、互いの内面同士の全体が対向するように配設されていることを特徴とする請求項１記載の封筒。
【請求項３】
前記前片と後片との何れか一方は、外面側から内面側を透けて見得る合成樹脂製のシート片を備えていることを特徴とする請求項１又は２記載の封筒。
【請求項４】
前記前片と後片とは、矩形状を呈するものであることを特徴とする請求項１〜３の何れか一項に記載の封筒。
【請求項５】
前記前片と後片との左右の両側端縁部同士及び下端縁部同士は、互いに速乾性の接着剤により接着されていることを特徴とする請求項４記載の封筒。
【請求項６】
前記前片と後片との４隅部の外周形状が、それぞれ、円弧状を呈することを特徴とする請求項４又は５記載の封筒。
【請求項７】
前記前片と後片とは、前記封緘用接着部で封緘した封緘部を切り離すための切り離し用ミシン目を備えていることを特徴とする請求項１〜６の何れか一項に記載の封筒。
【発明の詳細な説明】
【技術分野】
【０００１】
本発明は、主として郵送に用いられる封筒に関するものである。
【背景技術】
【０００２】
従来から、主として郵送に用いられる封筒として、例えば特許文献１に開示された封筒がある。この特許文献１に開示された封筒は、矩形状の前片と、この前片に対し上方を開口した状態で貼り合せた後片と、後片の上端部に、前片よりも上方に突出するように延設された封緘片と、前片の外面側に配設した接着剤と、接着剤を剥離可能に被覆したセパレーターとを備えたものである。そして、前片と後片との間に形成された上方開口の開口部を封緘する場合は、セパレーターを接着剤から剥がすとともに、剥離封緘片を前方側に折り曲げて接着剤に接着する。これにより、開口部を封緘できるようにしたものである。
【先行技術文献】
【特許文献】
【０００３】
【特許文献１】特開平７−２５７５９２号公報
【発明の概要】
【発明が解決しようとする課題】
【０００４】
しかしながら、特許文献１に記載された封筒は、開口部を封緘する場合に、封緘片を折り曲げ操作して接着部に接着しなければならず、封緘する作業が面倒である。
【０００５】
又、上記特許文献１に記載された封筒は、封緘するまでの間、接着部の粘着面を保護するためにセパレーターで剥離可能に被覆しておく必要があるが、接着部が前片の外面側に設けられているため、それを被覆したセパレーターも前片の外面側に配設されることになる。そのため、例えば封筒に宛先等を印字するためにこの封筒をプリンターの内部に通した場合に、その印字中にプリンターの内部でセパレーターが接着部から剥がれてしまう場合もある。このようにプリンターの内部でセパレーターが接着部から剥がれてしまうと、プリンターの内部で封筒の接着部がプリンターの内部でプリンターの一部に接着してしまい、その結果、プリンターの内部で詰まってしまい円滑に印字できないという問題点がある。
【０００６】
本発明は、容易に封緘できるとともに、プリンターで印字する場合もセパレーターが剥がれるおそれの少ない封筒を提供することを目的とする。
【課題を解決するための手段】
【０００７】
上記課題を解決するため、本発明は、前片と、前記前片と重ね合わされた後片とを備え、前記前片と後片との間に、少なくとも一方向に開口する封入空間が設けられた封筒であって、前記開口を封緘するための封緘用接着部を備え、前記封緘用接着部は、接着本体と、前記接着本体を剥離可能に被覆したセパレーターとを備え、この封緘用接着部は、前記前片と後片との何れか一方の内面であって前記両片の重ね合わせ部分に配設されていることを特徴とする封筒を提供する。
【０００８】
これによれば、封緘する場合は、接着本体からセパレーターを剥がす。この状態で、接着本体と他方の内面とが対向する。従って、その状態から、他方の内面を単に接着本体に押し付ければよく、これにより、他方の内面を接着本体に接着でき、開口を封緘できる。従って、従来のように封緘に際して封緘片を折り曲げ操作するようなことをせずに済み、容易に封緘できる。
【０００９】
又、封緘用接着部は前片と後片との何れか一方の内面であって両片の重ね合わせ部分に配設されているため、例えば封筒に宛先等を印字するために封筒をプリンターの内部に通した場合でも、セパレーターが前片又は後片に覆われて保護されて、印字中にプリンターの内部でセパレーターが接着テープから剥がれるおそれの少ないものにできる。
【００１０】
又、前記封筒において、前記前片と後片とは、互いに同じ大きさであって、互いの内面同士の全体が対向するように配設されていることが好ましい。ここで、「同じ大きさ」とは、全く同じ大きさ及び略同じ大きさのものを含む。
【００１１】
これによれば、同じ大きさの前片と後片とを、互いに全体を対向させて重ね合わすように配設すれば、前片と後片との何れか一方の内面に配設した封緘用接着部を前片と後片との重ね合わせ部分に配設でき、容易に封筒を形成できる。又、前片と後片との大きさを有効に活用して封入空間を可及的に大きくできる。
【００１２】
又、前述の封筒において、前記前片と後片との何れか一方は、外面側から内面側を透けて見得る合成樹脂製のシート片を備えていることが好ましい。
【００１３】
これによれば、例えば封筒を受け取った受取人に、合成樹脂製のシート片を介して内部に入れられた印刷物等の被収容物を見せることができ、受取人に被収容物に対して注意を引かせて開封を促すことができる。
【００１４】
又、前述の封筒において、前記前片と後片とは、矩形状を呈するものであることが好ましい。
【００１５】
これによれば、定形郵便として使用でき、利用し易いものにできる。
【００１６】
又、前述の封筒において、前記前片と後片との左右の両側端縁部同士及び下端縁部同士は、互いに速乾性の接着剤により接着されていることが好ましい。
【００１７】
これによれば、前片と後片との左右の両側端縁部同士及び下端縁部同士は、加熱されることなく常温下で接着され、接着された両側端縁部同士又は下端縁部同士の反りを抑えることができる。従って、例えば前片と後片との一方を紙製のものとし他方を合成樹脂製のシートから構成して両者の左右の両側端縁部同士及び下端縁部同士を熱溶着した場合のように、熱溶着部に反りが生じてその反りによって、例えばプリンターで封筒に宛先等を印字する場合に、プリンターの内部に通し難くなって、いわゆる紙詰まりを起こすというようなことを防止でき、プリンターで円滑に印字できる。
【００１８】
又、速乾性の接着剤により接着されているため、前片と後片との一方又は両方を紙製のものから構成した場合でも、接着剤が殆ど滲み込まない状態で接着できる。従って、接着剤が滲み込むことにより接着部に幅広部と幅狭部とができてしまうようなことを防止できるとともに、接着剤が滲み込むことにより反りを起こすようなことを防止できる。
【００１９】
又、前述の封筒において、前記前片と後片との４隅部の外周形状が、それぞれ、円弧状を呈することが好ましい。
【００２０】
これによれば、例えば封筒に宛先等を印字するために封筒をプリンターの内部に通す際に、隅部がプリンターの内部で引っ掛かるおそれの少ないものにでき、封筒をプリンターの内部に詰まらせることなく円滑に通して印字できる。
【００２１】
又、前述の封筒において、前記前片と後片とは、前記封緘用接着部で封緘した封緘部を切り離すための切り離し用ミシン目を備えていることが好ましい。
【００２２】
これによれば、封緘用接着部の接着本体で接着して封緘した封緘部の接着を剥がさなくても、封緘部を切り離し用ミシン目から手で切り離すことができ、容易に開封できる。
【発明の効果】
【００２３】
本発明の封筒は、容易に封緘できるとともに、プリンターで印字する場合もセパレーターが剥がれるおそれの少ないものである。
【図面の簡単な説明】
【００２４】
【図１】本発明の一実施の形態の封筒の正面図である。
【図２】図１のＩＩ−ＩＩ線に沿う一部を省略した拡大断面図である。
【図３】図１のＩＩＩ―ＩＩＩ線に沿う一部を省略した拡大断面図である。
【図４】接着テープからセパレーターを剥がす際の説明図である。
【図５】接着テープに後片を接着して封緘した状態の一部を省略した拡大断面図である。
【図６】本発明の封筒の製造工程の一例の概略図である。
【図７】前片形成シートに、セパレーターで封緘用粘着面を被覆した接着テープを接着した状態の要部の平面図である。
【図８】後片形成シートに接着剤を塗布した状態の要部の平面図である。
【図９】前片形成シートに、接着剤を塗布した後片形成シートを重ね合わせた状態の要部の平面図である。
【図１０】封筒の他の実施形態の正面図である。
【図１１】封筒の更に他の実施形態の正面図である。
【図１２】封筒の更に別の実施形態の正面図である。
【図１３】図１２のＸＩＩＩ−ＸＩＩＩ線に沿う一部を省略した拡大断面図である。
【発明を実施するための形態】
【００２５】
以下、本発明を実施するための形態について、図面を参照しながら詳細に説明する。図１は、本発明の一実施の形態の封筒の正面図、図２は、図１のＩＩ−ＩＩ線に沿う一部を省略した拡大断面図、図３は、図１のＩＩＩ―ＩＩＩ線に沿う一部を省略した拡大断面図である。
【００２６】
本発明の封筒１は、前片２と、後片３と、封緘用接着部５とを備えている。前片２は、この実施形態では、正面視で矩形状を呈しており、例えば横寸法Ｗが２４０ｍｍ、縦寸法Ｈが３３２ｍｍの大きさの紙製のシート片から構成されている。尚、前片２を構成する紙の素材として、例えば上質紙、クラフト紙、コート紙等が挙げられる。
【００２７】
後片３は、この実施形態では、前片２と同じ大きさの合成樹脂製のシート片からなる。より具体的には、この実施形態の後片３は、２軸延伸ポリプロピレン（ＯＰＰ）からなる透明なシート片から構成されている。尚、後片３を構成する合成樹脂材は、上記のものに限らず、適宜変更でき、例えばポリエチレンテレフタラート（ＰＥＴ）、ポリ塩化ビニル（ＰＶＣ）等の石油系樹脂などを使用できる。
【００２８】
これらの前片２と後片３とは、互いに全体が前後に対向するように重ね合わされて配設されている。そして、その状態で、左側端縁部２１、３１同士、右側端縁部２２、３２同士及び下端縁部２３、３３同士が互いに接着剤８により接着されている。
【００２９】
この接着剤８は、この実施形態では、水溶性で、且つ速乾性のものが用いられている。具体的には、接着剤８は、例えばポリ酢酸ビニル系水性エマルジョンを主剤としたもの等が使用される。
【００３０】
又、この実施形態では、図３に示すように、接着剤８により接着された前片２と後片３との左側端縁部２１、３１同士の左側端接着幅Ｌ１及び右側端縁部２２、３２同士の右側端接着幅Ｌ２は、４ｍｍ程度に設定されている。又、図２に示すように、下端縁部２３、３３同士の下端接着幅Ｌ３は、４ｍｍ〜１０ｍｍに設定されている。
【００３１】
そして、このようにして接着剤８により接着されることにより、前片２と後片３とは、それらの間に上方向（一方向）に開口４した状態で封入空間が形成された袋状のものとされている。
【００３２】
封緘用接着部５は、開口４を封緘するためのものである。この実施形態の封緘用接着部５は、図２に示すように接着テープ（接着本体）６と、セパレーター（剥離シート）７とを備えている。
【００３３】
接着テープ６は、この実施形態では、幅が１０ｍｍ程度で、後面（厚さ方向の一方面）と前面（厚さ方向の他方面）との両面にそれぞれ粘着面６１、６２を有する両面接着テープが用いられている。
【００３４】
この実施形態では、後面側の粘着面は、開口４を封緘する封緘用粘着面６１とされており、一方、前面側の粘着面は、接着テープ６を前片２又は後片３（この実施形態では、前片２）に取り付ける取付用粘着面６２とされている。
【００３５】
セパレーター７は、封緘用粘着面６１を剥離可能に被覆して保護している。このセパレーター７は、封緘用粘着面６１と同幅で、封緘用粘着面６１から剥離し易い素材、例えば合成樹脂製のシート状のものからなる。
【００３６】
このようにして封緘用粘着面６１がセパレーター７で被覆された接着テープ６は、前片２の内面２ａの上部側に、左端から右端にかけて幅全体に亘って配設され、その状態で、取付用粘着面６２が内面２ａに粘着（接着）されている。又、この実施形態では、接着テープ６は、前片２と後片３との左側端縁部２１、３１同士を接着した接着剤８及び右側端縁部２２、３２同士を接着した接着剤８から所定の距離を隔てて配設されている。この状態で、セパレーター７は、全体が後片３の内面３ａと対向している。
【００３７】
以上のように形成された封筒１は、この実施形態では、次のようにして製造されている。図６に示すように、前片２を形成する紙製の前片形成シート２０は、ロール状に巻かれた状態から順次引き出される。そして、この実施形態では、まず、引き出された前片形成シート２０の図６の上下両側のそれぞれの面に、異なる複数の色（この実施形態では４色）で印刷する印刷装置１０１によって絵、文字等が印刷される。
【００３８】
その後、印刷を終えた前片形成シート２０の図６の上面に封緘用接着部５が順次、接着される。より詳しくは、封緘用接着部５は、接着テープ６の封緘用粘着面６１（図２参照）がセパレーター７で被覆された状態でロール状に巻回されている。そして、封緘用接着部５は、図６、図７に示すようにその長手方向を前片形成シート２０の長手方向に沿って延ばされつつ、接着テープ６の取付用粘着面６２（図２参照）が前片形成シート２０の上面に粘着（接着）される。
【００３９】
一方、後片３を形成する合成樹脂製の後片形成シート３０も、図６に示すようにロール状に巻かれた状態から順次引き出され、まず、引き出された後片形成シート３０は、図６の下面に、図８に示すように連続的に接着剤８が塗布される。尚、この接着剤８は、上記のように後片形成シート３０に塗布される形態のものに限らず、前片形成シート２０に塗布されてもよく、適宜変更できる。
【００４０】
そして、接着剤８が塗布された後片形成シート３０は、図６に示すように、その接着剤８が塗布された面を前片形成シート２０側にして前片形成シート２０と上下に重ね合わされる（図９参照）。
【００４１】
次に、図６に示すようにカッター１０２によりカットされるが、そのカットされるまでの間（この実施形態では、０．５秒〜３秒程度）に、接着剤８が乾燥される。
【００４２】
その際、この実施形態では、０．５秒〜３秒程度で乾燥する速乾性で、且つ水溶性の接着剤８が使用されているため、紙製の前片２に接着剤８が殆ど滲み込まない状態で接着できる。従って、接着剤が滲み込むことにより接着部に、図９中に２点鎖線で示すような幅広部８１と幅狭部８２とができてしまうようなことを防止できるとともに、接着剤が滲み込むことによる反りを防止できる。
【００４３】
尚、接着剤８は、上述の０．５秒〜３秒程度で乾燥する速乾性で、且つ水溶性のものに限らず、種々のものを使用できる。ただし、上述のように接着部に幅広部と幅狭部とができるのを防止でき、或いは、反りを防止できる点で速乾性で且つ水溶性の接着剤８が好ましい。
【００４４】
そして、カッター１０２（図６に図示）により、図９中に示す一点鎖線に沿って、所定幅（この実施形態では、２４０ｍｍ）ごとにカットする。これにより、順次、封筒１を得ることができる。
【００４５】
このようにして得られた封筒１は、開口４から内部に、パンフレット等の被収容物が収容された後、例えば図４に示すように、セパレーター７を封緘用粘着面６１から剥離する。その際、封緘用接着部５は、前片２と後片３との左側端縁部２１、３１同士を接着した接着剤８及び右側端縁部２２、３２同士を接着した接着剤８から所定の距離を隔てて配設されているため、セパレーター７と対向した後片３を後方側に撓ませてセパレーター７から引き離すことができ、後片３が邪魔になることなくセパレーター７を容易に剥離できる。
【００４６】
そして、図５に示すように後片３の内面３ａを封緘用粘着面６１に粘着させる。これにより、前片２の内面２ａと後片３の内面３ａとを接着テープ６を介して接着でき、開口４を封緘できる。
【００４７】
その際、封緘用粘着面６１と後片３の内面３ａとが対向しているため、後片３の内面３ａをそのまま封緘用粘着面６１に押し付けることにより、封緘用粘着面６１に粘着できる。従って、封緘に際して、従来のように封緘片を折り曲げ操作する必要がなく、開口４を容易に封緘できる。
【００４８】
以上のように構成された封筒１は、後片３を透明な合成樹脂製のシート片から構成しているため、例えば封筒１を受け取った受取人に、その合成樹脂製のシート片を介して内部に入れられた被収容物を見せることができ、受取人に被収容物に対して注意を引かせて開封を促すことができる。
【００４９】
又、速乾性で且つ水溶性の接着剤８を用いて前片２と後片３とを接着することにより、その接着部に殆ど反りのないものにでき、例えばプリンターの内部に通して印字する場合も、プリンターの内部に円滑に通して印字できる。
【００５０】
又、予め前片形成シート２０の両面に印刷を施しその前片形成シート２０と後片形成シート３０とを接着して各封筒１の前片２とするため、前片２の印刷を容易に低コストで行うことができる。
【００５１】
尚、上記実施形態では、接着テープ６で封緘した開口４を開封する場合は、例えば後片３の内面３ａを封緘用粘着面６１から剥がし、或いは、封緘用接着部５の下方側をハサミ等で切り取ることにより開封できるが、この形態のものに限らず、適宜変更できる。
【００５２】
例えば図１０に示すように、前片２及び後片３の上部側における封緘用接着部５の近傍の下方側に、手で切り離し可能な切り離し用ミシン目１０を設けたものとしてもよい。これにより、封緘した接着テープ６を含む前片２及び後片３の上部側の封緘部を切り離し用ミシン目１０から切り離して開封でき、開封を容易に行うことができる。
【００５３】
又、上記実施形態では、前片２及び後片３を、正面視で、４隅部のそれぞれの外周形状を略直角な角部に形成した矩形状のものから構成したが、この形態のものに限らず、適宜変更できる。
【００５４】
例えば図１１に示すように前片２及び後片３を、正面視で、４隅部１２のそれぞれの外周形状を円弧状に形成してもよい。
【００５５】
このようにな４隅部１２のそれぞれの外周形状を円弧状にすることにより、例えば封筒１に宛先等を印字するために封筒１をプリンターの内部に通す際に、各隅部１２がプリンターの内部で引っ掛かるおそれの少ないものにでき、プリンターの内部に詰まらせることなく円滑に通して印字できる。
【００５６】
又、上記実施形態では、前片２と後片３とを同じ大きさのものから構成したが、この形態のものに限らず、適宜変更できる。例えば図１２、図１３に示すように、前片２の縦寸法を、後片３の縦寸法よりもやや大きくし、前片２の上端２４を、後片３の上端３４から上方に突出させる。或いは、図示しないが、後片３の縦寸法を、前片２の縦寸法よりもやや大きくし、後片３の上端を、前片２の上端から上方に突出させるようにしてもよい。これにより、例えば開口４を広げる場合に、前片２と後片３とを把持し易いものにでき、開口４を広げ易くできる。
【００５７】
又、上記実施形態では、接着テープ６を前片２の内面２ａに接着してセパレーター７を後片３の内面３ａと対向配置したが、この形態のものに限らず、接着テープ６の取付用粘着面６２を後片３の内面３ａに接着してセパレーター７を前片２の内面２ａと対向配置させるようにしてもよい。
【００５８】
又、上記実施形態では、接着本体を接着テープ６から構成したが、この形態のものに限らず、例えば接着本体を接着剤から構成しその接着剤を前片２の内面２ａ又は後片３の内面３ａに塗布するようにしてもよく、適宜変更できる。
【００５９】
又、上記実施形態では、前片２を紙製とし、後片３を合成樹脂製としたが、例えば前片２と後片３とを共に紙製又は合成樹脂製とし、或いは、前片２を合成樹脂製とし、後片３を紙製としてもよく、適宜変更し得る。
【００６０】
又、上記実施形態では、後片３は、合成樹脂製の透明なシート片から構成されたが、この形態のものに限らず、適宜変更できる。例えば後片３は、半透明又は不透明なシート片から構成してもよい。ただし、後片３を合成樹脂製のシート片から構成する場合、後片３を、外面側から内面側を透けて見ることができる透明或いは半透明なシート片から構成すれば、封筒を受け取った受取人にそのシート片を介して内部の被収容物を見せることができ、受取人に被収容物に対して注意を引かせて開封を促すことができる点で好ましい。
【符号の説明】
【００６１】
１    封筒
２    前片
３    後片
４    開口
５    封緘用接着部
６    接着テープ
７    セパレーター
８    接着剤
【図１】
2014012548.tif 000003
【図２】
2014012548.tif 000004
【図３】
2014012548.tif 000005
【図４】
2014012548.tif 000006
【図５】
2014012548.tif 000007
【図６】
2014012548.tif 000008
【図７】
2014012548.tif 000009
【図８】
2014012548.tif 000010
【図９】
2014012548.tif 000011
【図１０】
2014012548.tif 000012
【図１１】
2014012548.tif 000013
【図１２】
2014012548.tif 000014
【図１３】
2014012548.tif 000015